(57)【要約】【課題】収納時には簡単に折り畳めて大きな収納スペースを要せず、使用時には容易に持ち運べて且つ十分な耐荷重性を有する折り畳み式踏み台を提供する。【解決手段】折り畳み式踏み台１は、天板２の裏面に係止された補強材５を有し、この補強材５は、折り畳み式踏み台１の使用状態において、その底辺が設置面に当接する。この構成により、折り畳み式踏み台１は、収納時には簡単に折り畳めて大きな収納スペースを要せず、使用時には容易に持ち運べて且つ十分な耐荷重性を有する。【選択図】図３
0003223593.tif 000002
【実用新案登録請求の範囲】
【請求項１】
平面視で略矩形状の天板と、当該天板の短側縁を下方から支持するために対向して設けられた一対の短側板と、当該天板の長側縁を下方から支持するために対向して設けられた一対の長側板と、を備える折り畳み式踏み台であって、
前記天板は、当該天板の短側縁の中央位置から当該天板の長側縁方向に沿って設けられた天板用ヒンジを介して、回動可能に連結された２つの天板材から構成され、
前記一対の短側板の夫々は、当該天板の短側縁の中央位置から下方向に延びる短側板用ヒンジを介して、内側に向かって回動可能に連結された２つの短側板材から構成され、
前記一対の長側板の夫々は、その長側辺が前記天板の長側縁と長側辺用ヒンジを介して回動可能に連結されると共に、その短側辺が前記短側板と短側辺用ヒンジを介して回動可能に連結され、
前記折り畳み式踏み台は、さらに、
前記天板の裏面に係止された補強材を有し、当該補強材は、前記折り畳み式踏み台の使用状態において、その底辺が設置面に当接する、ことを特徴とする折り畳み式踏み台。
【請求項２】
前記補強材は、前記２つの天板材に夫々が係止された一対の補強板材から構成され、
当該一対の補強板材の前記天板側の一側面は、前記天板の長側縁方向に沿って前記天板材に回転可能に軸支される一方、当該一側面と対向する他側面は、補強板用ヒンジを介して対となる補強板材の他側面に回動可能に連結され、
前記折り畳み式踏み台の使用状態において、前記補強材は垂直断面Ｖ字形状となる、ことを特徴とする請求項１記載の折り畳み式踏み台。
【請求項３】
前記補強材は、前記天板の裏面の中央位置に配置される、ことを特徴とする請求項１又は２記載の折り畳み式踏み台。
【請求項４】
前記天板の裏面には凹部が形成されており、
前記短側板材の上側側には、前記折り畳み式踏み台の使用状態において、当該凹部と嵌合する凸部が形成される、ことを特徴とする請求項１乃至３のいずれか一項に記載の折り畳み式踏み台。
【請求項５】
前記天板の平面視の略中央位置において、一方の前記天板材には略凸形状の把持部が形成され、他方の前記天板材には当該把持部に対応する位置において当該把持部が着座するための切欠き部が形成される、ことを特徴とする請求項１乃至４のいずれか一項に記載の折り畳み式踏み台。
【請求項６】
前記天板は、その天面に弾性部材を埋め込むための複数の凹溝が形成される、ことを特徴とする請求項１乃至５のいずれか一項に記載の折り畳み式踏み台。
【請求項７】
前記複数の凹溝は、同芯状に配置される、ことを特徴とする請求項６記載の折り畳み式踏み台。
【考案の詳細な説明】
【技術分野】
【０００１】
本考案は、高所における作業時などに使用され、収納時には折り畳むことのできる折り畳み式踏み台に関する。
【背景技術】
【０００２】
従来から、高所での作業や掃除、荷物の上げ下ろしなどの際に、作業者が上に乗って作業をするために様々な種類の踏み台が用いられている。特に、収納時にスペースをとらないように折り畳み可能とした折り畳み式踏み台が幅広く使用されている。
【０００３】
この折り畳み式踏み台として、例えば、天面に特徴的なコ字状の把持枠部を有し、使用後の折り畳みが容易であると共に、持ち運びにも便利である折り畳み式踏み台が開示されている（例えば、特許文献１参照）。また、特徴的な構造の把持部やヒンジ構造を有した折り畳み式の踏み台も開示されている（例えば、特許文献２参照）。さらに、天板の裏面に特徴的な係止凸条を設けることで作業者が安定した姿勢を保てるように工夫がなされた折り畳み式踏み台も開示されている（例えば、特許文献３参照）。
【先行技術文献】
【特許文献】
【０００４】
【特許文献１】特許第6216255号
【特許文献２】実用新案登録第3159702号
【特許文献３】特開2018-40204号公報
【考案の概要】
【考案が解決しようとする課題】
【０００５】
しかしながら、上記文献に示す折り畳み式踏み台やその他の折り畳み式踏み台は、その折り畳み構造に関しては非常に工夫されているにも関わらず、耐荷重性が未だ十分ではないという問題がある。
【０００６】
例えば、上記特許文献に示すような折り畳み式踏み台の構造では、耐荷重は１００ｋｇ以下となり、特に体重の有る作業者がこれらの折り畳み式踏み台に乗って作業する際、作業者が持つ荷物の荷重によっては簡単に耐荷重を超えてしまう。この結果、折り畳み式踏み台が破壊されるのみでなく、最悪の場合、作業者が踏み台の上でバランスを崩して大きな怪我に到る危険性がある。すなわち、従来の折り畳み式踏み台は、誰が使用しても安全であるというような充分な耐荷重性を未だ実現できていない。
【０００７】
本考案は、上記課題に鑑みてなされたものであり、収納時には簡単に折り畳めて大きな収納スペースを要せず、使用時には容易に持ち運べて且つ十分な耐荷重性を有する折り畳み式踏み台を提供することを目的とする。
【課題を解決するための手段】
【０００８】
上記課題を解決するため、本考案は、平面視で略矩形状の天板と、当該天板の短側縁を下方から支持するために対向して設けられた一対の短側板と、当該天板の長側縁を下方から支持するために対向して設けられた一対の長側板と、を備える折り畳み式踏み台であって、前記天板は、当該天板の短側縁の中央位置から当該天板の長側縁方向に沿って設けられた天板用ヒンジを介して、回動可能に連結された２つの天板材から構成され、前記一対の短側板の夫々は、当該天板の短側縁の中央位置から下方向に延びる短側板用ヒンジを介して、内側に向かって回動可能に連結された２つの短側板材から構成され、前記一対の長側板の夫々は、その長側辺が前記天板の長側縁と長側辺用ヒンジを介して回動可能に連結されると共に、その短側辺が前記短側板と短側辺用ヒンジを介して回動可能に連結され、前記折り畳み式踏み台は、さらに、前記天板の裏面に係止された補強材を有し、当該補強材は、前記折り畳み式踏み台の使用状態において、その底辺が設置面に当接する、ことを特徴とする。
【０００９】
この折り畳み式踏み台において、前記補強材は、前記２つの天板材に夫々が係止された一対の補強板材から構成され、当該一対の補強板材の前記天板側の一側面は、前記天板の長側縁方向に沿って前記天板材に回転可能に軸支される一方、当該一側面と対向する他側面は、補強板用ヒンジを介して対となる補強板材の他側面に回動可能に連結され、前記折り畳み式踏み台の使用状態において、前記補強材は垂直断面Ｖ字形状となることが好ましい。
【００１０】
この折り畳み式踏み台において、前記補強材は、前記天板の裏面の中央位置に配置されることが好ましい。
【００１１】
この折り畳み式踏み台において、前記天板の裏面には凹部が形成されており、前記短側板材の上側側には、前記折り畳み式踏み台の使用状態において、当該凹部と嵌合する凸部が形成されることが好ましい。
【００１２】
この折り畳み式踏み台において、前記天板の平面視の略中央位置において、一方の前記天板材には略凸形状の把持部が形成され、他方の前記天板材には当該把持部に対応する位置において当該把持部が着座するための切欠き部が形成されることが好ましい。
【００１３】
この折り畳み式踏み台において、前記天板は、その天面に弾性部材を埋め込むための複数の凹溝が形成されることが好ましい。
【００１４】
この折り畳み式踏み台において、前記複数の凹溝は、同芯状に配置されることが好ましい。
【考案の効果】
【００１５】
本考案に係る折り畳み式踏み台は、天板の裏面に係止された補強材を有し、この補強材は、折り畳み式踏み台の使用状態において、その底辺が設置面に当接する。この構成により、本願考案は、収納時には簡単に折り畳めて大きな収納スペースを要せず、使用時には容易に持ち運べて且つ十分な耐荷重性を有する折り畳み式踏み台となる。
【図面の簡単な説明】
【００１６】
【図１】（ａ）本考案の実施の形態に係る折り畳み式踏み台の使用状態での斜視図、（ｂ）同上折り畳み式踏み台の使用状態での平面図である。
【図２】（ａ）同上折り畳み式踏み台の使用状態での左側面図、（ｂ）同上折り畳み式踏み台の使用状態での正面図である。
【図３】（ａ）同上折り畳み式踏み台の使用状態での底面図、（ｂ）同上折り畳み式踏み台の使用状態での底面側の斜視図である。
【図４】（ａ）同上折り畳み式踏み台のＡ−Ａ線断面図、（ｂ）同上折り畳み式踏み台が備える補強材の有する突起部の説明図である。
【図５】（ａ）同上折り畳み式踏み台の折り畳みの際の底面図、（ｂ）同上折り畳み式踏み台の折り畳みの際の斜視図である。
【図６】（ａ）同上折り畳み式踏み台の収納時の側面図、（ｂ）同上折り畳み式踏み台の収納時の平面図である。
【図７】本実施の形態の変形例に係る折り畳み式踏み台の底面側の斜視図である。
【考案を実施するための形態】
【００１７】
（実施の形態）
本考案の実施の形態に係る折り畳み式踏み台について図１乃至図６を参照して説明する。この折り畳み式踏み台１は、高所での作業や掃除、荷物の上げ下ろしなどの際に、作業者が上に乗って作業をするための作業用品やＤＩＹに用いたり、介護時の乗り降り用の段差部などの介護用品として用いることができる。
【００１８】
最初に、図１を参照して、本実施の形態に係る折り畳み式踏み台１の使用時における全体構成に関して説明する。なお、例えば折り畳み式踏み台１の使用時のサイズは幅530mm×奥行280mm×高さ225mm、重量は2465ｇ程度である。
【００１９】
折り畳み式踏み台１は、図１（ａ）に示すように、使用時においては略直方体形状を有し、平面視で略矩形状の天板２と、天板２の短側縁を下方から支持するために対向して設けられた一対の短側板３と、天板２の長側縁を下方から支持するために対向して設けられた一対の長側板４と、が一体成形される。
【００２０】
天板２は、所定の厚みを有した板材であり、天板２の短側縁の中央位置から天板２の長側縁方向に沿って設けられた天板用ヒンジ２ａを介して、回動可能（山折り）に連結された２つの天板材２ｂ，２ｃから構成される。天板２の長側縁には、長側板４を回転可能にれ連結するためのヒンジ構造２ｄを有している。なお、本実施の形態の説明においてヒンジとは上下左右には動かないが回転は自由であるような材と材の接点又は支点の状態のことを指す。
【００２１】
図１（ｂ）に示すように、天板２の天面には、弾性部材２ｅを埋め込むための複数の凹溝が形成されている。本実施の形態では、複数の凹溝は同芯状に複数で四角形状に配置されている。弾性部材２ｅの素材は種々の材料を利用でき、例えば合成ゴムやウレタンを用いることができる。また、弾性部材２ｅの天板２への固定は、接着剤や両面テープを用いることができる。
【００２２】
天板２の平面視の略中央位置において、一方の天板材２ｃには略凸形状の把持部２ｆが形成され、他方の天板材２ｂには把持部２ｆに対応する位置において把持部２ｆが着座するための切欠き部２ｇが形成される。なお、この切欠き部２ｇの内側面には段差部（図示せず）が形成されており、折り畳み式踏み台１の使用時においては、この段差部に対して把持部２ｆが上側から着座する構造により、天板材２ｃを支え、天板２が内方に撓むことを防止できる。
【００２３】
一対の短側板３の夫々は、天板２の短側縁の中央位置から下方向に延びる短側板用ヒンジ３ｃを介して、内側に向かって回動可能（谷折り）に連結された２つの短側板材３ａ，３ｂから構成される。短側板材３ａ，３ｂは、図２（ａ）に示すように、短側板用ヒンジ３ｃを中心として線対称となる形状を有しており、軽量化及び装飾性を高めるために、複数の孔３ｄや切欠き３ｅが形成されている。なお、短側板３の長側板４の側辺には、短側板３を回転可能に連結するためのヒンジ構造３ｆを有している。
【００２４】
図３（ａ）に示すように、天板２の裏面には凹部が形成されており、短側板３を構成する短側板材３ａ，３ｂの上側側には、折り畳み式踏み台１の使用状態において、この凹部と嵌合する凸部３ｇが形成されている。この構成により、使用状態の折り畳み式踏み台１をより安定化させることができる。
【００２５】
一対の長側板４は、図２（ｂ）に示すように、その長側辺が天板２の長側縁と長側辺用ヒンジ４ａを介して回動可能に連結されると共に、その短側辺が短側板３と短側辺用ヒンジ４ｂを介して回動可能に連結される。長側板４にも、短側板３と同様に、軽量化及び装飾性を高めるために、複数の孔４ｃや切欠き４ｄが形成されている。
【００２６】
なお、天板２、短側板３や長側板４は、軽量で強度の高いポリプロピレン樹脂などの熱可塑性樹脂や、いわゆるFRP (Fiber Reinforced Plastics)などの強化プラスチック樹脂で形成され、軽量化されている。
【００２７】
次に、図３及び図４を参照して、折り畳み式踏み台１の裏面に設けられた補強材５に関して説明する。この補強材５は、天板２の天板材２ｂ，２ｃの裏面に係止され、折り畳み式踏み台１の使用状態において、補強材５の底辺が地面などの設置面に当接する構造となる。
【００２８】
より具体的には、図３（ａ）に示すように、補強材５は、２つの天板材２ｂ，２ｃに夫々が係止された一対の補強板材５ａ，５ｂから構成される。この一対の補強板材５ａ，５ｂの天板２側の一側面は、天板２の長側縁方向に沿って天板材２ｂ，２ｃに回転可能に軸支される一方、補強板材５ａの当該一側面と対向する他側面は、補強板用ヒンジ５ｃを介して対となる補強板材５ｂの他側面に回動可能に連結される。補強材５は、図４（ａ）に示すように、折り畳み式踏み台の使用状態において、垂直断面Ｖ字形状を有する。
【００２９】
なお、補強板材５ａ，５ｂの天板２側の一側面が、天板材２ｂ，２ｃに回転可能に軸支する構造は種々ある。本実施の形態においては、図４（ｂ）に示すように、補強板材５ａ，５ｂの天板側の一側面の両端側に突起部５ｄ，５ｄ´が形成され、この突起部５ｄ，５ｄ´が天板２の裏面に形成された穴部に軸支される構造となる。
【００３０】
補強材５は、図３に示すように、天板２の裏面の中央位置（又は略中央位置）に配置される。この構成により、補強材５は天板２の裏面の中心をサポート（センターサポート構造と呼ぶ）して、耐荷重を最大限にすることができる構造となる。
【００３１】
次に、本実施の形態に係る折り畳み式踏み台１の収納時の状態を、図５及び図６を参照して説明する。収納時において、折り畳み式踏み台１の中央部にある把持部２ｆを上部に引き上げる。この時に天板２は、図５に示すように、天板用ヒンジ２ａで回動して外側へ折れ曲がり（山折り）、長側板４は互いに近づく向きに力を受け、短側板３は短側板用ヒンジ３ｃで回動して内側へ折れ曲がる（谷折り）。この際、補強材５は、補強用ヒンジ５ｃで回動して内側に折れ曲がることとなる（山折り）。
【００３２】
すなわち、折り畳み式踏み台１の把持部２ｆに指をかけて上方へ引き上げることで図５（ａ）に示すように、補強材５が折り畳まれ、図６（ａ）に示す把持部２ｆが起立する収納状態となり、軽量であるため、そのまま把持部２ｆを握って容易に持ち運びができる。なお、収納時の折り畳み式踏み台１のサイズは、例えば幅530mm×奥行55mm×高さ370mmであり、厚みが5.5cmとなり非常にコンパクトに収納できるサイズとなる。
【００３３】
一方、折り畳み式踏み台１の使用時においては、折りたたまれた天板材２ｂ，２ｃをサッと平面になる方向で広げるだけで、短側板３又は長側板４が形成されて直方体形状となる。また、補強板材５ａ，５ｂが広がって補強材５の底辺が設置面に当接し、安定感のある踏み台１となる。
【００３４】
次に、折り畳み式踏み台１の耐荷重量に関して述べる。折り畳み式踏み台１の材質にポリプロピレン樹脂を用いた場合、折り畳み式踏み台１の耐荷重は約２００ｋｇに到る。これは、従来の折り畳み式踏み台の約１００ｋｇと比較しても飛躍的に耐荷重量が改善されており、安全性・安定性を向上できる。
【００３５】
以上の説明のように、本実施の形態に係る折り畳み式踏み台１は、天板２の裏面に係止された補強材５を有し、この補強材５は、折り畳み式踏み台１の使用状態において、その底辺が設置面に当接する。この構成により、収納時には簡単に折り畳めて大きな収納スペースを要せず、使用時には容易に持ち運べて且つ十分な耐荷重性を有する安全・安定感のある折り畳み式踏み台１となる。
【００３６】
また、折り畳み式踏み台１は、ポリプロピレン樹脂などを用いて成形され、非常に軽量で作業性が良く、且つ踏み台が必要ないかなる作業にも対応できる充分な強度・耐荷重性を有する。
【００３７】
なお、本考案は、上記実施の形態の構成に限られず、考案の趣旨を変更しない範囲で種々の変形が可能である。例えば、図７に示すように、天板２、短側板３や長側板４の裏面側に補強用リブ２ｈ，３ｈ，４ｅを設けることで、より一層の強度を確保することができる。また、折り畳み式踏み台１の形状は直方体形状に限定されるものではなく、その他の例えば四角錘台形状などにすることもできる。さらに、補強材５の形状や数は上述の形状に限定されるものではなく、天板２を裏面側からサポートするその他の構造を適用できることは言うまでもない。
【符号の説明】
【００３８】
１  折り畳み式踏み台
２  天板
２ａ  天板用ヒンジ
２ｂ，２ｃ  天板材
２ｅ  弾性部材
２ｆ  把持部
２ｇ  切欠き部
３  短側板
３ａ，３ｂ  短側板材
３ｃ  短側板用ヒンジ
３ｄ，４ｃ  孔
３ｅ，４ｄ  切欠き
３ｇ  凸部
４  長側板
４ａ  長側辺用ヒンジ
４ｂ  短側辺用ヒンジ
５  補強材
５ａ，５ｂ  補強板材
５ｃ  補強板用ヒンジ
５ｄ，５ｄ´  突起部
【図１】
0003223593.tif 000003
【図２】
0003223593.tif 000004
【図３】
0003223593.tif 000005
【図４】
0003223593.tif 000006
【図５】
0003223593.tif 000007
【図６】
0003223593.tif 000008
【図７】
0003223593.tif 000009